(57)【特許請求の範囲】
【請求項１】
セグメントを互いに接合して組み付けることにより掘削穴の軸方向へ複数の円筒部が側方へ連結された断面多連形トンネルにおいて、該多連形トンネルからそれぞれの円筒部を分岐させて単線トンネルとした分岐箇所あるいは単線トンネルから多連形トンネルとした合流箇所にて用いられる分岐部セグメントであって、
前記円筒部同士の間に配設される支持体に連結される基部セグメント部と、
一端側が該基部セグメント部に接合され、他端側が前記円筒部に接続される一対の分岐セグメント部とから構成されてなり、
前記分岐セグメント部は、前記基部セグメント部との接合箇所が前記基部セグメント部の幅方向へ移動可能とされていることを特徴とする分岐部セグメント。
【請求項２】
前記基部セグメント部及び前記分岐セグメント部には、互いに連通する挿通孔が形成され、これら挿通孔に接合用ボルトが挿通され、この接合用ボルトにナットが締結されて前記基部セグメント部と前記分岐セグメント部とが互いに接合されてなり、
前記挿通孔の少なくともいずれか一方は、基部セグメント部の幅方向へ沿って断面長孔状に形成されていることを特徴とする請求項１記載の分岐部セグメント。
【発明の詳細な説明】
【０００１】
【発明の属する技術分野】
この発明は、複数の円筒部が側方へ連結された多連形トンネルから単線トンネルへの分岐箇所あるいは単線トンネルから多連形トンネルへの合流箇所にて用いられる分岐部セグメントに関するものである。
【０００２】
【従来の技術】
トンネルを構築する方法としては、掘削穴の内面側にセグメントを組み立ててトンネルを構築する、いわゆるシールド工法が一般的である。
このシールド工法に用いられるセグメントとしては、平面視長方形状で円弧版状のものが主流であり、これらセグメント同士を、その接合端面に設けられた継手板同士をボルト・ナットによって連結することにより接合していた。
即ち、シールドマシンによって地盤を掘削して、その後方側に形成された掘削穴内にてセグメントを掘削穴の内面に沿って組み付けるとともに、軸方向に沿った接合端面を順次接合・連結して無端のリング体を形成し、このリング体を掘削穴の軸方向に連結することにより、掘削穴の内面にトンネルが構築されるようになっている。
また、この種のトンネルには、複数の円筒部を側方に連結させた多連形のものが知られている。
ここで、この種の多連形トンネルの構造を２連形トンネルを例にとって説明する。
【０００３】
図４において、符号１は、多連形トンネルである。この多連形トンネル１は、平面視長方形の円弧版状のセグメント２から構成された一対の円筒部３を有しており、これら円筒部３同士が側方に連結されている。
これら円筒部３同士の連結箇所には、それぞれの円筒部３を構成するセグメント２同士を連結する側面視Ｙ字状に形成された分岐部セグメント４が配設されており、これら分岐部セグメント４同士の間には、柱あるいは壁体等の支持体５が配設されて、それぞれの円筒部３同士の空間が仕切られている。
【０００４】
【発明が解決しようとする課題】
ところで、この多連形トンネル１にあっては、その途中で、図５に示すように、各円筒部３に分岐させて単線トンネル６とする場合、あるいは複数の単線トンネル６を合流させて多連形トンネル１とする場合があり、このような場合、この分岐箇所では、各円筒部３が徐々に離間あるいは近接されることとなる。
このため、円筒部３同士を連結させる前記分岐部セグメント４としては、その離間あるいは近接の度合いに応じた形状のものを個別に成形しなければならず、コストが嵩んでしまうという問題があった。
【０００５】
この発明は、上記事情に鑑みてなされたもので、多連形トンネルから単線トンネルへの分岐箇所あるいは単線トンネルから多連形トンネルへの合流箇所にて用いられる分岐部セグメントのコスト低減を図ることができるとともに、分岐部セグメントの設置作業の高効率化を図ることが可能な分岐部セグメントを提供することを目的としている。
【０００６】
【課題を解決するための手段】
上記目的を達成するために、請求項１記載の分岐部セグメントは、セグメントを互いに接合して組み付けることにより掘削穴の軸方向へ複数の円筒部が側方へ連結された断面多連形トンネルにおいて、該多連形トンネルからそれぞれの円筒部を分岐させて単線トンネルとした分岐箇所あるいは単線トンネルから多連形トンネルとした合流箇所にて用いられる分岐部セグメントであって、前記円筒部同士の間に配設される支持体に連結される基部セグメント部と、一端側が該基部セグメント部に接合され、他端側が前記円筒部に接続される一対の分岐セグメント部とから構成されてなり、前記分岐セグメント部は、前記基部セグメント部との接合箇所が前記基部セグメント部の幅方向へ移動可能とされていることを特徴としている。
【０００７】
請求項２記載の分岐部セグメントは、請求項１記載の分岐部セグメントにおいて、前記基部セグメント部及び前記分岐セグメント部には、互いに連通する挿通孔が形成され、これら挿通孔に接合用ボルトが挿通され、この接合用ボルトにナットが締結されて前記基部セグメント部と前記分岐セグメント部とが互いに接合されてなり、前記挿通孔の少なくともいずれか一方は、基部セグメント部の幅方向へ沿って断面長孔状に形成されていることを特徴としている。
【０００８】
【発明の実施の形態】
以下、本発明の分岐部セグメントの実施の形態を図によって説明する。
なお、従来技術と同一構造部分には、同一符号を付して説明を省略する。
図１において、符号１１は、本実施の形態の分岐部セグメントである。この分岐部セグメント１１は、柱あるいは壁体からなる支持体５に連結される基部セグメント部１２を有している。この基部セグメント部１２は、側面視台形に形成されたもので、この基部セグメント部１２の上底側が前記支持体５との支持体接合端面１２ａとされている。
【０００９】
また、この基部セグメント部１２の下底側は、分岐セグメント部接合端面１２ｂとされており、この分岐セグメント部接合端面１２ｂには、一対の分岐セグメント部１３が接合されるようになっている。
これら分岐セグメント部１３は、一端側が、前記基部セグメント部１２の分岐セグメント部接合端面１２ｂと接合される分岐接合端面１３ａとされ、他端側が、円筒部３を構成するセグメント２の端部が接合される円筒部接合端面１３ｂとされている。
【００１０】
また、図２に示すように、分岐セグメント部１３には、基部セグメント部１２との接合側に、ボルト挿通孔１４が形成されており、このボルト挿通孔１４には、接合用ボルト１５が挿通されている。また、基部セグメント部１２には、厚さ方向中間部に、分岐セグメント部１３との接合側に継手板１６が設けられたボルトボックス１７が形成されており、このボルトボックス１７には、分岐セグメント部１３側に形成された挿通孔１８が開口されている。そして、分岐セグメント部１３の挿通孔１４に挿通された接合用ボルト１５が基部セグメント部１２の挿通孔１８にも挿通されるようになっており、この接合用ボルト１５に、ボルトボックス１７にてナット１９を締結固定させることにより、基部セグメント部１２と分岐セグメント部１３とが接合されて一体化されるようになっている。
【００１１】
また、この基部セグメント部１３に形成された挿通孔１８は、基部セグメント部１３の幅方向へ沿う断面視長孔形状に形成されている。これにより、分岐部セグメント１１は、分岐セグメント部１３の分岐接合端面１３ａと基部セグメント部１２の分岐セグメント部接合端面１２ｂとの接合箇所が基部セグメント部１２の幅方向へ移動可能とされている。
そして、分岐セグメント部１３と基部セグメント部１２との接合箇所を移動させることにより、図３に示すように、分岐セグメント部１３同士が互いに近接離間されるようになっている。
【００１２】
即ち、多連形トンネル１から単線トンネル６へ分岐させる場合あるいは単線トンネル６を合流して多連形トンネル１とする場合に、その分岐あるいは合流箇所にて、円筒部３同士の離間あるいは近接の度合いに応じて、基部セグメント部１２に対して分岐セグメント部１３を移動させて接合させることにより、これら分岐あるいは合流箇所に適した分岐部セグメント１１とすることができる。これにより、従来のように、円筒部３の離間あるいは近接の度合いに応じて個別に分岐部セグメント４を用いる場合と比較して、分岐部セグメント１１を個別に成形する必要をなくすことができ、コストダウンを図ることができる。
なお、上記の例では、基部セグメント部１２の挿通孔１８を断面長孔状としたが、分岐セグメント部１３の挿通孔１４を断面長孔状に形成しても良い。
【００１３】
【発明の効果】
以上、説明したように、本発明の分岐部セグメントによれば、下記の効果を得ることができる。
請求項１記載の分岐部セグメントによれば、多連形トンネルから単線トンネルへ分岐させる場合あるいは単線トンネルを合流して多連形トンネルとする場合に、その分岐あるいは合流箇所にて、円筒部同士の離間あるいは近接の度合いに応じて、基部セグメント部に対して分岐セグメント部を移動させて接合させることにより、これら分岐あるいは合流箇所に適した分岐部セグメントとすることができる。つまり、従来のように、円筒部の離間あるいは近接の度合いに応じて個別に分岐部セグメントを用いる場合と比較して、分岐部セグメントを個別に成形する必要をなくすことができ、コストダウンを図ることができる。
【００１４】
請求項２記載の分岐部セグメントによれば、互いに連通する挿通孔のいずれか一方が基部セグメント部の幅方向へ沿って断面長孔状に形成されているので、この長孔状の挿通孔に沿って分岐セグメント部の基部セグメント部との接合箇所を極めて容易に移動させることができる。
【図面の簡単な説明】
【図１】  本発明の実施の形態の分岐部セグメントを説明する分岐部セグメントの正面図である。
【図２】  本発明の実施の形態の分岐部セグメントの構造を説明する分岐部セグメントの断面図である。
【図３】  本発明の実施の形態の分岐部セグメントの作用を説明する分岐部セグメントの正面図である。
【図４】  多連形トンネルの構成及び構造を説明する多連形トンネルの断面図である。
【図５】  多連形トンネルにおける分岐あるいは合流箇所を説明する多連形トンネルの分岐あるいは合流箇所の斜視図である。
【符号の説明】
１  多連形トンネル
２  セグメント
３  円筒部
５  支持体
６  単線トンネル
１１  分岐部セグメント
１２  基部セグメント部
１３  分岐セグメント部
１４、１８  挿通孔
１５  接合用ボルト
１９  ナット
【図１】
0003865905.tif 000002
【図２】
0003865905.tif 000003
【図３】
0003865905.tif 000004
【図４】
0003865905.tif 000005
【図５】
0003865905.tif 000006